(57)【特許請求の範囲】
【請求項１】
車両前後方向に延びるメインフレーム（２）と、
車両前後方向に延びて前輪（１１）を上下揺動可能に支持する上下アーム（２１，２２）と、を備える鞍乗り型車両の前輪支持フレーム構造において、
前記メインフレーム（２）の後側から車両下方を前方に延びて車両前側で上方へ向かうロアフレーム（６）を更に備え、
前記メインフレーム（２）の前上部には、前記上アーム（２１）の後端部（２１ｂ）が揺動可能に接続される上接続部（３ａ）が形成され、
前記メインフレーム（２）の前下部には、下方に延出する延出部（３０）が形成され、
前記延出部（３０）には、前記下アーム（２２）の後端部（２２ｂ）が揺動可能に接続される下接続部（３ｂ）が形成されると共に、前記ロアフレーム（６）の前上部（６ａ）が接続され、
前記延出部（３０）は、前面視で、上側ほど車幅方向中央に位置するように傾斜することを特徴とする鞍乗り型車両の前輪支持フレーム構造。
【請求項２】
車両前後方向に延びるメインフレーム（２）と、
車両前後方向に延びて前輪（１１）を上下揺動可能に支持する上下アーム（２１，２２）と、を備える鞍乗り型車両の前輪支持フレーム構造において、
前記メインフレーム（２）の後側から車両下方を前方に延びて車両前側で上方へ向かうロアフレーム（６）を更に備え、
前記メインフレーム（２）の前上部には、前記上アーム（２１）の後端部（２１ｂ）が揺動可能に接続される上接続部（３ａ）が形成され、
前記メインフレーム（２）の前下部には、下方に延出する延出部（３０）が形成され、
前記延出部（３０）には、前記下アーム（２２）の後端部（２２ｂ）が揺動可能に接続される下接続部（３ｂ）が形成されると共に、前記ロアフレーム（６）の前上部（６ａ）が接続され、
前記上アーム（２１）の後端部（２１ｂ）は、前記メインフレーム（２）の上接続部（３ａ）に車幅方向に沿う上連結軸（２４ａ）を介して揺動可能に接続され、
前記下アーム（２２）の後端部（２２ｂ）は、前記メインフレーム（２）の下接続部（３ｂ）に車幅方向に沿う下連結軸（２６ａ）を介して揺動可能に接続され、
前記上連結軸（２４ａ）は、前記上アーム（２１）の後端部（２１ｂ）及び前記メインフレーム（２）の上接続部（３ａ）を貫通して車幅方向に延び、
前記下連結軸（２６ａ）は、前記下アーム（２２）の後端部（２２ｂ）及び前記延出部（３０）の下接続部（３ｂ）を貫通して車幅方向に延び、
前記延出部（３０）は、前面視で、上側ほど車幅方向中央に位置するように傾斜することを特徴とする鞍乗り型車両の前輪支持フレーム構造。
【請求項３】
前記ロアフレーム（６）の前上部（６ａ）は、前記延出部（３０）の前部（３０ｆ）に結合されることを特徴とする請求項１又は２に記載の鞍乗り型車両の前輪支持フレーム構造。
【請求項４】
前記延出部（３０）の前部（３０ｆ）には、前記ロアフレーム（６）の前上部（６ａ）が結合される結合部（３０ｃ）が形成され、
前記結合部（３０ｃ）には、前記ロアフレーム（６）の前上部（６ａ）が車両前側から締結する締結具（３０ｊ）により結合されることを特徴とする請求項１〜３までの何れか一項に記載の鞍乗り型車両の前輪支持フレーム構造。
【請求項５】
前記締結具（３０ｊ）は、前面視で、上下方向及び左右方向にオフセットして複数設けられることを特徴とする請求項４に記載の鞍乗り型車両の前輪支持フレーム構造。
【請求項６】
前記ロアフレーム（６）の後部（６ｂ）は、前記メインフレーム（２）に対して分離可能とされ、
前記ロアフレーム（６）の後部（６ｂ）と前記メインフレーム（２）との結合部（５ｄ）は、側面視で、ステップ支持部材（５１）によって覆われることを特徴とする請求項１〜５までの何れか一項に記載の鞍乗り型車両の前輪支持フレーム構造。
【請求項７】
前記ステップ支持部材（５１）は、前記ロアフレーム（６）の後部（６ｂ）及び前記メインフレーム（２）の両方に固定されることを特徴とする請求項６に記載の鞍乗り型車両の前輪支持フレーム構造。
【請求項８】
前記延出部（３０）には、エンジンが支持される支持部（３ｃ）が形成されることを特徴とする請求項１〜７までの何れか一項に記載の鞍乗り型車両の前輪支持フレーム構造。
【発明の詳細な説明】
【技術分野】
【０００１】
本発明は、鞍乗り型車両の前輪支持フレーム構造に関する。
【背景技術】
【０００２】
従来、鞍乗り型車両の前輪支持フレーム構造において、例えば特許文献１に開示されたものがある。これは、車両前後方向に延びて前輪を上下揺動可能に支持する上下アームを備え、上下アームの後端部をメインフレームの前部で支持し、クッション部材の下端部を下アームに接続したものである。
【先行技術文献】
【特許文献】
【０００３】
【特許文献１】特開２０１２−１８３８８２号公報
【発明の概要】
【発明が解決しようとする課題】
【０００４】
しかしながら、クッション部材の下端部をメインフレームのオーバーハングとなる下アームに接続すると、フレームの剛性を確保しにくいという課題があった。
【０００５】
そこで本発明は、車両前後方向に延びて前輪を上下揺動可能に支持する上下アームを備えた鞍乗り型車両の前輪支持フレーム構造において、フレームの剛性を向上することを目的とする。
【課題を解決するための手段】
【０００６】
上記課題の解決手段として、請求項１に記載した発明は、車両前後方向に延びるメインフレーム（２）と、車両前後方向に延びて前輪（１１）を上下揺動可能に支持する上下アーム（２１，２２）と、を備える鞍乗り型車両の前輪支持フレーム構造において、前記メインフレーム（２）の後側から車両下方を前方に延びて車両前側で上方へ向かうロアフレーム（６）を更に備え、前記メインフレーム（２）の前上部には、前記上アーム（２１）の後端部（２１ｂ）が揺動可能に接続される上接続部（３ａ）が形成され、前記メインフレーム（２）の前下部には、下方に延出する延出部（３０）が形成され、前記延出部（３０）には、前記下アーム（２２）の後端部（２２ｂ）が揺動可能に接続される下接続部（３ｂ）が形成されると共に、前記ロアフレーム（６）の前上部（６ａ）が接続され、前記延出部（３０）は、前面視で、上側ほど車幅方向中央に位置するように傾斜することを特徴とする。
請求項２に記載した発明は、車両前後方向に延びるメインフレーム（２）と、車両前後方向に延びて前輪（１１）を上下揺動可能に支持する上下アーム（２１，２２）と、を備える鞍乗り型車両の前輪支持フレーム構造において、前記メインフレーム（２）の後側から車両下方を前方に延びて車両前側で上方へ向かうロアフレーム（６）を更に備え、前記メインフレーム（２）の前上部には、前記上アーム（２１）の後端部（２１ｂ）が揺動可能に接続される上接続部（３ａ）が形成され、前記メインフレーム（２）の前下部には、下方に延出する延出部（３０）が形成され、前記延出部（３０）には、前記下アーム（２２）の後端部（２２ｂ）が揺動可能に接続される下接続部（３ｂ）が形成されると共に、前記ロアフレーム（６）の前上部（６ａ）が接続され、前記上アーム（２１）の後端部（２１ｂ）は、前記メインフレーム（２）の上接続部（３ａ）に車幅方向に沿う上連結軸（２４ａ）を介して揺動可能に接続され、前記下アーム（２２）の後端部（２２ｂ）は、前記メインフレーム（２）の下接続部（３ｂ）に車幅方向に沿う下連結軸（２６ａ）を介して揺動可能に接続され、前記上連結軸（２４ａ）は、前記上アーム（２１）の後端部（２１ｂ）及び前記メインフレーム（２）の上接続部（３ａ）を貫通して車幅方向に延び、前記下連結軸（２６ａ）は、前記下アーム（２２）の後端部（２２ｂ）及び前記延出部（３０）の下接続部（３ｂ）を貫通して車幅方向に延び、前記延出部（３０）は、前面視で、上側ほど車幅方向中央に位置するように傾斜することを特徴とする。
請求項３に記載した発明は、前記ロアフレーム（６）の前上部（６ａ）は、前記延出部（３０）の前部（３０ｆ）に結合されることを特徴とする。
請求項４に記載した発明は、前記延出部（３０）の前部（３０ｆ）には、前記ロアフレーム（６）の前上部（６ａ）が結合される結合部（３０ｃ）が形成され、前記結合部（３０ｃ）には、前記ロアフレーム（６）の前上部（６ａ）が車両前側から締結する締結具（３０ｊ）により結合されることを特徴とする。
請求項５に記載した発明は、前記締結具（３０ｊ）は、前面視で、上下方向及び左右方向にオフセットして複数設けられることを特徴とする。
請求項６に記載した発明は、前記ロアフレーム（６）の後部（６ｂ）は、前記メインフレーム（２）に対して分離可能とされ、前記ロアフレーム（６）の後部（６ｂ）と前記メインフレーム（２）との結合部（５ｄ）は、側面視で、ステップ支持部材（５１）によって覆われることを特徴とする。
請求項７に記載した発明は、前記ステップ支持部材（５１）は、前記ロアフレーム（６）の後部（６ｂ）及び前記メインフレーム（２）の両方に固定されることを特徴とする。
請求項８に記載した発明は、前記延出部（３０）には、エンジンが支持される支持部（３ｃ）が形成されることを特徴とする。
【発明の効果】
【０００７】
請求項１に記載した発明によれば、メインフレームの前下部には下方に延出する延出部が形成され、延出部にはメインフレームの後側から車両下方を前方に延びて車両前側で上方へ向かうロアフレームの前上部が接続されることで、メインフレームのオーバーハングとなる前記延出部をロアフレームによって補強できるため、フレームの剛性を向上できる。又、延出部には下アームの後端部が揺動可能に接続される下接続部が形成されることで、前記延出部を形成しない場合と比較して、上下アームの上下間隔を大きくできるため、上下アームの負荷を低減できる。又、車体フレームの構成要素となるロアフレームによって前記延出部を補強することで、別個に補強部材を設ける場合と比較して、軽量化を図ることができる。加えて、延出部が前面視で上側ほど車幅方向中央に位置するように傾斜することで、メインフレームに向かう方向で延出部の急な曲がりを抑えることができるため、フレームの剛性変化に伴う応力集中を防止できる。
請求項２に記載した発明によれば、メインフレームの前下部には下方に延出する延出部が形成され、延出部にはメインフレームの後側から車両下方を前方に延びて車両前側で上方へ向かうロアフレームの前上部が接続されることで、メインフレームのオーバーハングとなる前記延出部をロアフレームによって補強できるため、フレームの剛性を向上できる。又、延出部には下アームの後端部が揺動可能に接続される下接続部が形成されることで、前記延出部を形成しない場合と比較して、上下アームの上下間隔を大きくできるため、上下アームの負荷を低減できる。又、車体フレームの構成要素となるロアフレームによって前記延出部を補強することで、別個に補強部材を設ける場合と比較して、軽量化を図ることができる。加えて、延出部が前面視で上側ほど車幅方向中央に位置するように傾斜することで、メインフレームに向かう方向で延出部の急な曲がりを抑えることができるため、フレームの剛性変化に伴う応力集中を防止できる。
請求項３に記載した発明によれば、ロアフレームの前上部が延出部の前部に結合されることで、延出部の前部をロアフレームによって補強できるため、下アームの揺動による車両前方からの負荷を効果的に低減しつつ、下接続部の剛性を更に向上できる。
請求項４に記載した発明によれば、延出部の前部にはロアフレームの前上部が結合される結合部が形成され、結合部にはロアフレームの前上部が車両前側から締結する締結具により結合されることで、延出部の前面にロアフレームの前上部の後面を密着させて車両前側から締結具を締結できるため、延出部の前部及びロアフレームの前上部の締結強度を向上できる。又、車両後側から締結する締結具を設ける場合と比較して、延出部の前部にロアフレームの前上部を締結しやすい。
請求項５に記載した発明によれば、締結具が前面視で上下方向及び左右方向にオフセットして複数設けられることで、締結具の配置間隔を上下方向及び左右方向で確保できるため、締結具を上下又は左右の一方向でオフセットする場合と比較して、延出部の前面とロアフレームの前上部の後面とが密着する面を大きくすることができ、延出部の前部及びロアフレームの前上部の締結強度を向上できる。
請求項６に記載した発明によれば、ロアフレームの後部がメインフレームに対して分離可能とされ、ロアフレームの後部とメインフレームとの結合部が側面視でステップ支持部材によって覆われることで、側面視でロアフレームの後部とメインフレームとの結合部が見えにくくなるため、外観性を向上できる。
請求項７に記載した発明によれば、ステップ支持部材がロアフレームの後部及びメインフレームの両方に固定されることで、ロアフレームの後部とメインフレームとの結合強度を向上できる。
請求項８に記載した発明によれば、延出部にはエンジンが支持される支持部が形成されることで、メインフレームのオーバーハングとなる前記延出部をロアフレームに加えてエンジンよって補強できるため、フレームの剛性をより一層向上できる。
【図面の簡単な説明】
【０００８】
【図１】本発明の実施形態における自動二輪車の車体前部の左側面図である。
【図２】上記自動二輪車の車体前部の前面図である。
【図３】上記自動二輪車の車体前部の上面図である。
【図４】上記自動二輪車の前輪懸架装置を左前方から見た斜視図であり、左リンク部材を省略した図である。
【図５】上記前輪懸架装置の上アームの第一連結軸線に沿う断面及び第二連結軸線に沿う断面並びにクッション部材の上端部の接続部の中心軸線に沿う断面を含む断面図である。
【図６】上記前輪懸架装置の下アームの第三連結軸線に沿う断面及び第四連結軸線に断面並びにクッション部材の下端部の接続部の中心軸線に沿う断面を含む断面図である。
【図７】上記前輪懸架装置のロアフレームの後端部とメインフレームのピボット部との結合部を左上方から見た斜視図である。
【発明を実施するための形態】
【０００９】
以下、本発明の実施形態について図面を参照して説明する。尚、以下の説明における前後左右等の向きは、特に記載が無ければ以下に説明する車両における向きと同一とする。又、以下の説明に用いる図中適所には、車両前方を示す矢印ＦＲ、車両左方を示す矢印ＬＨ、車両上方を示す矢印ＵＰ、及び車両左右中心線ＣＬを示す。
【００１０】
＜車両全体＞
図１は、鞍乗り型車両の一例としての自動二輪車の車体前部を示す。図１を参照し、自動二輪車の車体フレームは、前端部に前輪懸架装置１を支持するフロントブロック３を有し、車両前後に延びる左右一対のメインフレーム２を備える。尚、図２中符号２Ｌは左メインフレーム、符号２Ｒは右メインフレームを示す。又、図２中符号３Ｌは左フロントブロック、符号３Ｒは右フロントブロックを示す。
【００１１】
左右メインフレーム２は、側面視で、前側ほど前後幅が大きい形状をなすフロントブロック３と、前側ほど前後幅を広めて前方に開放するＶ字状をなして不図示の後輪懸架装置を支持するピボット部５と、フロントブロック３の後端３ｄから後側ほど下方に位置するように緩やかに傾斜して延びてフロントブロック３の後端３ｄとピボット部５の前上端５ａとの間を渡す連結部４と、を一体に有する。尚、連結部４の前端４ａの上下幅は、フロントブロック３の後端３ｄの上下幅と略同じであり、連結部４の後端４ｂの上下幅は、ピボット部５の前上端５ａの上下幅と略同じである。
【００１２】
車体フレームは、側面視でＪ字状をなす左右一対のロアフレーム６を更に備える。ロアフレーム６は、メインフレーム２の後側に位置するピボット部５の前下端部５ｂから車両下方を前方に延びて車両前側で上方へ向かい、フロントブロック３の前下端部に至る。尚、図２中符号６Ｌは左ロアフレーム、符号６Ｒは右ロアフレームを示す。
【００１３】
メインフレーム２及びロアフレーム６によって囲まれる空間には、例えばエンジンが搭載される。フロントブロック３及び連結部４の上方には、燃料タンク８が配置される。ピボット部５の上方には、シート９が配置される。自動二輪車の車体前部は、合成樹脂製のフロントカウル１０で覆われる。
【００１４】
図２を併せて参照し、フロントブロック３は、前面視で上側ほど左右幅を狭めて下方に開放する門形（逆Ｖ字状）をなす。フロントブロック３における前記門形の下部開放部を符号３ｓで示す。
【００１５】
図４を併せて参照し、フロントブロック３の前上端部には、上アーム２１の後端部２１ｂが接続される上接続部３ａが形成される。フロントブロック３の前上部で且つ前記上接続部３ａよりも後方には、バーハンドル１８（ハンドル）を支持するハンドル支持部３１が後上方に延出して形成される。フロントブロック３の前下部には、前下方に延出する延出部３０が形成される。尚、図２中符号３０Ｌは左延出部、符号３０Ｒは右延出部を示す。
【００１６】
延出部３０には、下アーム２２の後端部２２ｂが接続される下接続部３ｂが形成されると共に、ロアフレーム６の前上部６ａが接続される。延出部３０の下端部には、エンジン前上部の左右側部が支持される下支持部３ｃが形成される。尚、エンジン前後中央上部の左右側部は、連結部４の支持部４ｃに支持され、エンジン後部の左右側部は、ピボット部５の支持部５ｃに支持される。尚、ロアフレーム６がエンジンを支持してもよい。
【００１７】
左右ロアフレーム６Ｌ，６Ｒの前端部６ｆは、前面視で、車両下方から上方へ直線状に延びた後に上側ほど車幅方向中央に位置するように傾斜して延びて前上部６ａに至る。左右ロアフレーム６Ｌ，６Ｒの前上部６ａは、前面視で左右延出部３０Ｌ，３０Ｒの前部３０ｆに重なる。左右延出部３０Ｌ，３０Ｒの前部３０ｆは、前面視で、上側ほど車幅方向中央に位置するように傾斜して延びる。左右フロントブロック３Ｌ，３Ｒの前端部３ｆは、前面視で、左右延出部３０Ｌ，３０Ｒの前部３０ｆの上端に連なると共に、上側ほど車幅方向中央に位置するように緩やかに傾斜する。
【００１８】
ロアフレーム６の前上部６ａは、延出部３０の前部３０ｆに結合される。延出部３０の前部３０ｆには、ロアフレーム６の前上部６ａが結合される結合部３０ｃが形成される。結合部３０ｃには、ロアフレーム６の前上部６ａが車両前側から締結する締結具としてのボルト３０ｊにより結合される。
【００１９】
ボルト３０ｊは、前面視で、上下方向及び左右方向にオフセットして複数設けられる。本実施形態では、ボルト３０ｊは、前面視で、左右延出部３０Ｌ，３０Ｒの結合部３０ｃに上下方向及び左右方向にオフセットして二つずつ設けられる。尚、ボルト３０ｊは、三つ以上複数設けてもよい。
【００２０】
ロアフレーム６の前上部６ａには、側面視で、ボルト３０ｊの側方を覆う側壁部６ｗが一体に設けられる。側壁部６ｗは、車幅方向に厚みを有する板状をなして前後に延びる。ボルト３０ｊが側面視で側壁部６ｗによって覆われることで、側面視でロアフレーム６の前上部６ａと延出部３０の前部３０ｆとの結合部３０ｃが見えにくくなるため、外観性を向上できる。
【００２１】
図７を併せて参照し、ロアフレーム６の後端部６ｂは、ピボット部５の前下端部５ｂに対して分離可能とされる。ロアフレーム６の後端部６ｂとピボット部５の前下端部５ｂとの結合部としての第一結合部５ｄは、側面視で、ステップ支持部材５１によって覆われる。
【００２２】
具体的に、ピボット部５の前下端部５ｂの前端部には、ロアフレーム６の後端部６ｂに結合される第一結合部５ｄが形成される。ピボット部５の前下端部５ｂの第一結合部５ｄよりも後上方には、ロアフレーム６の後端部６ｂに結合される第二結合部５ｅが形成される。第一結合部５ｄ及び第二結合部５ｅは、ボルト６ｊ等の締結部材によってロアフレーム６の後端部６ｂに締結固定される。
【００２３】
第一結合部５ｄは、側面視でステップ支持部材５１によって覆われる。第二結合部５ｅは、側面視でステップ支持部材５１によって覆われず、外部に露出する。尚、第一結合部５ｄ及び第二結合部５ｅの両方が、側面視でステップ支持部材５１によって覆われてもよい。又、第一結合部５ｄが側面視でステップ支持部材５１によって覆われずに外部に露出し、第二結合部５ｅが側面視でステップ支持部材５１によって覆われてもよい。
【００２４】
ステップ支持部材５１は、車両前後方向に延びると共に車幅方向に厚みを有する板状をなすカバー部５２と、カバー部５２の前端部の左側でステップ５０を支持するステップ支持部５３と、カバー部５２の後端部の左側でサイドスタンド５５を支持するスタンド支持部５４と、を一体に有する。
【００２５】
カバー部５２の前上端部には、ロアフレーム６の後端部６ｂに結合される前結合部５２ａが形成される。前結合部５２ａは、ボルト５２ｊ等の締結部材によってロアフレーム６の後端部６ｂに締結固定される。
カバー部５２の後上端部には、ピボット部５の前下端部５ｂに結合される後結合部５２ｂが形成される。後結合部５２ｂは、ボルト５２ｊ等の締結部材によってピボット部５の前下端部５ｂに締結固定される。
このようにして、ステップ支持部材５１は、ロアフレーム６の後端部６ｂ及びピボット部５の前下端部５ｂの両方に固定される。
【００２６】
ステップ支持部５３は、カバー部５２の前端部から左側方に突出するように分岐して設けられる上下軸支部５３ａと、上下軸支部５３ａに支持される円筒状の軸部５３ｂと、を有する。上下軸支部５３ａは、ステップ５０の基端部を前記分岐により上下両側から挟み込む。軸部５３ｂは、鉛直方向に対して前傾する中心軸線を有する。ステップ５０は、軸部５３ｂに軸部５３ｂの中心軸線の回りに回動可能に接続される。
【００２７】
スタンド支持部５４は、カバー部５２の後端部から左側方に突出すると共に側面視でＬ字状をなす。スタンド支持部５４は、左下方に傾斜すると共に側面視で前側ほど上下幅が大きい三角形状をなす第一突出部５４ａと、上下に延びると共に後面視で下側ほど左右幅が大きい三角形状をなし且つ下端が第一突出部５４ａの前端に繋がる第二突出部５４ｂと、を一体に有する。第一突出部５４ａには、サイドスタンド５５の一端部を回動可能に接続するサイドスタンド接続部５４ｃが形成される。
尚、図中符号６ｃは、エンジン近傍の車両部品を支持する支持部を示す。
【００２８】
＜前輪懸架装置＞
図１及び図４を併せて参照し、前輪懸架装置１は、下端部で前輪１１を支持するフロントフォーク１７と、ハンドル支持部３１に回動可能に支持されると共に、バーハンドル１８の操作に伴って操舵軸線Ｃ１の回りに回動されるハンドルポスト３５と、ステアリング軸線Ｃ２の回りにフロントフォーク１７を回動可能に支持する支持部材１５と、ハンドルポスト３５と支持部材１５との間で連結されるリンク部材４０及び転舵部材４５と、車両前後方向に延びて前輪１１を上下揺動可能に支持する上下アーム２１，２２を有する支持アーム２０と、前輪１１の動きに伴って伸縮して緩衝作用を得るクッション部材２７と、を備える。これらハンドルポスト３５、リンク部材４０、転舵部材４５、支持部材１５及びフロントフォーク１７を介して、バーハンドル１８の操作に伴う操舵軸線Ｃ１の回りの回動と前輪１１の転舵とが連係される。
【００２９】
ここで、操舵軸線Ｃ１は、バーハンドル１８の操作に伴って回動されるハンドルポスト３５の回動中心であり、ハンドル支持部３１における円筒状のボス部３２の中心軸線と一致する。ステアリング軸線Ｃ２（転舵軸線）は、バーハンドル１８の操作に伴って回動されるフロントフォーク１７の回動中心であり、円筒状をなす支持部材１５の中心軸線と一致する。ステアリング軸線Ｃ２の鉛直方向に対する角度が「キャスター角」となる。ステアリング軸線Ｃ２は、側面視で操舵軸線Ｃ１よりも前方にオフセット（離反）する。ステアリング軸線Ｃ２と操舵軸線Ｃ１とは、互いに略平行である。
【００３０】
＜フロントフォーク＞
フロントフォーク１７は、ステアリング軸線Ｃ２を形成する軸部１６と、上下に延びる左右一対のアーム部１７ａと、左右アーム部１７ａの上端部間を連結するクロスメンバ１７ｂと、を一体に有する。左右アーム部１７ａは、前輪１１の左右両側に配置される。クロスメンバ１７ｂは、前輪１１の上端位置のトレッド面に沿うように車幅方向内側へ湾曲し、左右アーム部１７ａの上端部間に配置される。クロスメンバ１７ｂは、その左右端部が左右アーム部１７ａの上端部に接合される。フロントフォーク１７の各要素は、例えば一体のアルミ製部品であり、各要素が互いに一体に溶接結合される。
【００３１】
フロントフォーク１７の軸部１６は、円筒状をなす支持部材１５の径方向内側で、支持部材１５にステアリング軸線Ｃ２の回りに回動可能に支持される。フロントフォーク１７の軸部１６の上端部１６ａは、転舵部材４５に接続される。
【００３２】
クロスメンバ１７ｂの上端部には、軸部１６の下端部１６ｂが接続される軸支部１７ｃが形成される。クロスメンバ１７ｂの軸支部１７ｃには、軸部１６が延びる方向に開口する挿通孔１７ｈが形成される。挿通孔１７ｈに軸部１６を上端部１６ａから挿通させ、挿通孔１７ｈに軸部１６の下端部１６ｂが位置する状態で、軸部１６の下端部１６ｂと軸支部１７ｃとを溶接結合することで、クロスメンバ１７ｂの上端部が軸部１６の下端部１６ｂに固定される。
【００３３】
図２を併せて参照し、左右アーム部１７ａの下端部１７ｄには、前輪１１の車軸（以下「前輪車軸」という。）が接続される。例えば、前輪車軸の車幅方向両端部は、不図示のボールベアリングを介して、左右アーム部１７ａの下端部１７ｄに固定される。前輪１１のホイールは、前輪車軸の車幅方向中央に回動可能に支持される。クロスメンバ１７ｂには、フロントフェンダ１２（図１参照）が不図示のボルトを介して支持される。便宜上、図２及び図４では、フロントフェンダ１２等の図示を省略する。
尚、図１中符号１３は、ブレーキキャリパを示す。又、符号１３ａは、ブレーキロータを示す。又、符号Ｃ１０は、前輪車軸の中心軸線を示す。又、符号Ｃ１０Ｌは、中心軸線Ｃ１から路面Ｒに降ろした垂線を示す。又、符号Ｔは、トレールを示す。
【００３４】
＜ハンドル支持部＞
ハンドル支持部３１は、側面視で、フロントブロック３の前上端部で鉛直方向に対して後傾して設けられる。ハンドル支持部３１は、例えばアルミ製のフロントブロック３の上端部に一体に設けられる。ハンドル支持部３１は、ハンドルポスト３５を回動可能（操向可能）に支持する。
【００３５】
具体的に、ハンドル支持部３１は、操舵軸線Ｃ１を形成する円筒状のボス部３２と、フロントブロック３の前上端部から上側ほど車幅方向内側に位置するように後上方に延びてボス部３２の下端部３２ｂ（下部）に繋がる左右延出部３３Ｌ，３３Ｒと、によって形成される。左右延出部３３Ｌ，３３Ｒには、車幅方向に沿うように延びて左右延出部３３Ｌ，３３Ｒの間を連結する連結軸としてのボルト３４ａ（図５参照）が設けられる。左右延出部３３Ｌ，３３Ｒには、クッション部材２７の上端部２７ａが接続されるクッション上接続部２７ｃ（図５参照）が形成される。ボス部３２の上端部３２ａ（上部）には、操舵軸線Ｃ１の回りに回動可能にハンドルポスト３５が設けられる。
【００３６】
＜ハンドルポスト＞
ハンドルポスト３５は、バーハンドル１８が固定されるホルダ３６と、ホルダ３６の下部に繋がると共に操舵軸線Ｃ１を中心軸線とする円筒状の軸部３９と、によって形成される。図３を併せて参照し、ホルダ３６は、上面視でＷ字状をなす。ホルダ３６は、操舵軸線Ｃ１と平行な方向に厚みを有すると共に前側ほど左右幅が大きい扇形状をなす台座部３８と、台座部３８の左右両端部に接続されると共に側面視でＬ字状をなして後上方に延びる左右延出部３７Ｌ，３７Ｒと、を有する。
【００３７】
軸部３９は、ボス部３２の径方向内側で、ボス部３２に操舵軸線Ｃ１の回りに回動可能に支持される。台座部３８の後部３８ｂは、軸部３９の上端部に溶接結合される。台座部３８の左右の下面には、左右一対のリンク部材４０の後端部が接続されるリンク後接続部３８ｃが形成される。
【００３８】
左右延出部３７Ｌ，３７Ｒは、バーハンドル１８の車幅方向内側端部が接続されるハンドル接続部３７ａと、台座部３８の左右端部３８ａに接続されると共に台座部３８の傾斜に沿うように側面視で前上方に延びる第一延出部３７ｂと。延出部３７ｂの前上端から後上方に延びて前記ハンドル接続部３７ａに繋がる第二延出部３７ｃと、を一体に有する。
【００３９】
バーハンドル１８及び左右延出部３７Ｌ，３７Ｒは、例えばアルミ製部品であり、互いに一体に溶接結合される。例えば、バーハンドル１８は、車幅方向左右に分かれるセパレートハンドルを有し、左右セパレータハンドルの車幅方向内側部が左右延出部３７Ｌ，３７Ｒのハンドル接続部３７ａに溶接結合される。尚、ハンドル接続部３７ａに車幅方向に沿う挿通孔を形成し、前記挿通孔に左右セパレータハンドルの車幅方向内側部が圧入されることで、バーハンドル１８及び左右延出部３７Ｌ，３７Ｒが一体化されてもよい。
【００４０】
左右延出部３７Ｌ，３７Ｒの第二延出部３７ｃは、台座部３８の左右端部３８ａに複数（例えば本実施形態では左右二つずつ）の締結部材（ボルト）によって締結固定される。尚、左右延出部３７Ｌ，３７Ｒの第二延出部３７ｃは、台座部３８の左右端部３８ａに溶接結合されてもよい。
【００４１】
ハンドルポスト３５の軸部３９がボス部３２に回動可能に支持されることで、ハンドルポスト３５は、バーハンドル１８の操作に伴って操舵軸線Ｃ１の回りに回動可能（操向可能）とされる。
尚、図３中符号１９ａは、ディマースイッチ、ウインカスイッチ等のスイッチ類を有するスイッチボックスを示す。又、符号１９ｂは、ブレーキレバーに連結されるマスターシリンダーを示す。又、クラッチレバーの図示は省略する。尚、オートクラッチを採用してもよい。
【００４２】
＜カバー部材＞
ハンドルポスト３５の上方には、上面視で、ハンドルポスト３５の上方を覆うカバー部材６０が設けられる。カバー部材６０は、例えば合成樹脂製であり、上面視で、前後に延びる長方形状をなす第一カバー部６１と、第一カバー部６１の後方で前後に延びる長方形状をなす第二カバー部６２と、第一カバー部６１と第二カバー部６２との前後間を連結する連結部６３と、を一体に有する。
【００４３】
具体的に、第一カバー部６１は、上面視で前後に延びて（詳細には上面視で後側ほど左右幅が徐々に大きくなるように車両左右中心線ＣＬに沿うように延びて）連結部６３に至る。第二カバー部６２は、上面視で前後に延びて（詳細には前側ほど左右幅が徐々に大きくなるように車両左右中心線ＣＬに沿うように延びて）連結部６３に至る。第二カバー部６２は、上面視で、左右延出部３７Ｌ，３７Ｒの車幅方向内側に位置し、台座部３８の上方を覆う。連結部６３は、上面視で後側ほど左右幅が大きい台形状をなし、第一カバー６１の後端と第二カバー６２の前端とを渡す。
【００４４】
＜支持部材＞
図１及び図４を併せて参照し、支持部材１５は、操舵軸線Ｃ１の前方に離反して設けられる。具体的に、支持部材１５は、円筒状をなし、フロントブロック３の前方で鉛直方向に対して後傾して設けられる。支持部材１５は、その径方向内側でフロントフォーク１７の軸部１６を、ステアリング軸Ｃ２の回りに回動可能（操向可能）に支持する。軸部１６の上端部１６ａは、支持部材１５の上端部１５ａよりも上方に突出する。尚、軸部１６及び支持部材１５は、ステアリング軸線Ｃ２を中心軸線とする。
【００４５】
支持部材１５の前上部には、上アーム２１の前端部２１ａが接続される上接続部１５ｃが前上方に突出して形成される。支持部材１５の後下部には、下アーム２２の前端部２２ａが接続される下接続部１５ｄが後下方に突出して形成される。上接続部１５ｃは、側面視でステアリング軸線Ｃ２よりも前方に配置され、後接続部１５ｄは、側面視でステアリング軸線Ｃ２よりも後方に配置される。支持部材１５の左右側面には、下接続部１５ｄを補強するためのリブ１５ｒが形成される。リブ１５ｒは、側面視で前上方に開くＶ字状を有し、下接続部１５ｄ側ほどリブ高さが大きくなるように下接続部１５ｄから前上方に分岐して延びる。
【００４６】
＜転舵部材＞
転舵部材４５は、支持部材１５の上端部１５ａよりも上方で、軸部１６の上端部１６ａに支持される。図１〜図４を参照し、転舵部材４５は、リンク部材４０の前端部が接続されるリンク前接続部４５ａと、ステアリング軸線Ｃ２に沿う方向から見て前方が開くＣ字状をなす軸支部４５ｂと、軸支部４５ｂの上端から上側ほど車幅方向外側に位置するように延びてリンク前接続部４５ａと軸支部４５ｂとの間を連結する連結部４５ｃとを、一体に有する。リンク前接続部４５ａ、軸支部４５ｂ及び連結部４５ｃは、例えばアルミ製部品であり、互いに一体形成される。
【００４７】
図１〜図４を参照し、本実施形態において、連結部４５ｃは、軸支部４５ｂの左右上端から上側ほど車幅方向外側に位置するように延びてリンク前接続部４５ａに至る。便宜上、図４においては、左リンク部材４０の図示を省略する。
【００４８】
軸支部４５ｂの前端部には、車幅方向に開口する挿通孔が形成される。例えば、軸部１６の上端部１６ａに軸支部４５ｂを挿し込んだ状態で、前記挿通孔を通じてボルトをナットに螺着し締め込むことで、転舵部材４５が軸部１６の上端部１６ａに締結固定される。軸舵部材４５は、バーハンドル１８の操作に伴ってフロントフォーク１７と一体的にステアリング軸線Ｃ２の回りに回動可能（操向可能）とされる。
【００４９】
＜リンク部材＞
リンク部材４０は、側面視及び上面視で前後に延びる直線状をなす。リンク部材４０は、車幅方向の左右に設けられる。リンク部材４０の前端部には、リンク前接続部４５ａに接続される前ボールジョイント４１が設けられる。リンク部材４０の後端部には、リンク後接続部３８ｃに接続される後ボールジョイント４２が設けられる。
【００５０】
前後ボールジョイント４１，４２は、ボールスタッド４３と、ソケット４４と、を有する。ボールスタッド４３は、球状のボール部４３ａと、ボール部４３ａの上方に突出するスタッド部４３ｂと、を有する。ボール部４３ａは、ソケット４４の内部で摺動可能に保持される。スタッド部４３ｂは、車両上下方向に直線状に延びる。ソケット４４は、上下ソケット４４ａ，４４ｂを有する。上下ソケット４４ａ，４４ｂの間には、ボール部４３ａが摺動可能に保持される。
【００５１】
リンク前接続部４５ａには、車両上下方向に開口する挿通孔が形成される。リンク前接続部４５ａの挿通孔に前ボールジョイント４１のスタッド部４３ｂの上端部のネジ部を挿通し、その上方への突出部にナットを螺着し締め込むことで、前ボールジョイント４１のスタッド部４３ｂがリンク前接続部４５ａに締結固定される。以下、前ボールジョイント４１におけるスタッド部４３ｂの中心軸線を「第一軸線Ｃ４」という。リンク部材４０の前端部は、前ボールジョイント４１を介してリンク前接続部４５ａに第一軸線Ｃ４の周りに回動自在に接続される。
【００５２】
リンク後接続部３８ｃには、車両上下方向に開口する挿通孔が形成される。リンク後接続部３８ｃの挿通孔に後ボールジョイント４２のスタッド部４３ｂの上端部のネジ部を挿通し、その上方への突出部にナットを螺着し締め込むことで、後ボールジョイント４２のスタッド部４３ｂがリンク後接続部３８ｃに締結固定される。以下、後ボールジョイント４２におけるスタッド部４３ｂの中心軸線を「第二軸線Ｃ５」という。リンク部材４０の後端部は、後ボールジョイント４２を介してリンク後接続部３８ｃに第二軸線Ｃ５の回りに回動自在に接続される。
【００５３】
例えば、リンク部材４０は、前後端部にネジ部を有し、前後ネジ部がそれぞれ前ボールジョイント４１の下ソケット４４ｂの後端部及び後ボールジョイント４２の下ソケット４４ｂの前端部に所定量螺着された状態でロックナットを用いて固定される。これにより、前記ロックナットを緩めて下ソケット４４ｂとネジ部との螺着量を増減させることで、リンク部材４０の前後接続部間の距離を調整できる。
【００５４】
＜支持アーム＞
支持アーム２０は、車両前後方向に延びて上下揺動可能に設けられる上下アーム２１，２２を有する。上下アーム２１，２２は、車両上下方向に並んで配置されると共に、車両前後方向に沿うように延びる。上アーム２１の前端部２１ａは、支持部材１５の上部の車幅方向外側に配置され、下アーム２２の前端部２２ａは、支持部材１５の下部の車幅方向内側に配置される。上下アーム２１，２２の後端部２１ｂ，２２ｂは、フロントブロック３の前部の車幅方向内側に配置される。上下アーム２１，２２の後端部２１ｂ，２２ｂは、フロントブロック３における前記門形の下部開放部３ｓ内に収容される。
【００５５】
上アーム２１の前後端部２１ａ，２１ｂは、側面視で、下アーム２２の前後端部２２ａ，２２ｂよりも前方に配置される。側面視で、上アーム２１の前端部２１ａはステアリング軸線Ｃ２よりも前方に位置し、下アーム２２の前端部２２ａはステアリング軸線Ｃ２よりも後方に位置する。上下アーム２１，２２の後端部２１ｂ，２２ｂは、フロントブロック３の前部に揺動可能に支持される。支持部材１５は、上下アーム２１，２２の前端部２１ａ，２２ａに揺動可能に接続される。
【００５６】
図５及び図６を併せて参照し、支持部材１５の上下接続部１５ｃ，１５ｄは、上下アーム２１，２２の前端部２１ａ，２２ａに車幅方向に沿う連結軸としてのボルト２３ａ，２５ａを介して揺動可能に接続される。ボルト２３ａは、支持部材１５の上接続部１５ｃ及び上アーム２１の前端部２１ａを貫通して車幅方向に延びる。ボルト２５ａは、支持部材１５の下接続部１５ｄ及び下アーム２２の前端部２２ａを貫通して車幅方向に延びる。図中符号Ｃ１１は、支持部材１５の上接続部１５ｃ及び上アーム２１の前端部２１ａを連結するボルト２３ａの中心軸線を示す。図中符号Ｃ１３は、支持部材１５の下接続部１５ｄ及び下アーム２２の前端部２２ａを連結するボルト２５ａの中心軸線を示す。
【００５７】
上下アーム２１，２２の後端部２１ｂ，２２ｂは、フロントブロック３の上下接続部３ａ，３ｂに車幅方向に沿う連結軸としてのボルト２４ａ，２６ａを介して揺動可能に接続される。ボルト２４ａは、上アーム２１の後端部２１ｂ及びフロントブロック３の上接続部３ａを貫通して車幅方向に延びる。ボルト２６ａは、下アーム２２の後端部２２ｂ及び左右延出部３０Ｌ，３０Ｒの下接続部３ｂを貫通して車幅方向に延びる。上下アーム２１，２２の後端部２１ｂ，２２ｂは、フロントブロック３を貫通して車幅方向に沿って延びるボルト２４ａ，２６ａを介して回動可能に支持されることで、上下アーム２１，２２のを高い剛性で支持することができる。図中符号Ｃ１２は、上アーム２１の後端部２１ｂ及びフロントブロック３の上接続部３ａを連結するボルト２４ａの中心軸線を示す。図中符号Ｃ１４は、下アーム２２の後端部２２ｂ及び左右延出部３０Ｌ，３０Ｒの下接続部３ｂを連結するボルト２６ａの中心軸線を示す。
以下、ボルト２３ａの中心軸線を「第一連結軸線Ｃ１１」、ボルト２４ａの中心軸線を「第二連結軸線Ｃ１２」、ボルト２５ａの中心軸線を「第三連結軸線Ｃ１３」、ボルト２６ａの中心軸線を「第四連結軸線Ｃ１４」という。
【００５８】
図１を併せて参照し、側面視で、第一連結軸線Ｃ１１と第二連結軸線Ｃ１２とを通る直線を「第一直線ＡＸ１」とし、第三連結軸線Ｃ１３と第四連結軸線Ｃ１４とを通る直線を「第二直線ＡＸ２」とする。側面視で、上アーム２１の第一直線ＡＸ１と下アーム２２の第二直線ＡＸ２とは、互いに略平行である。
【００５９】
側面視で、上アーム２１の前後長さは、下アーム２２の前後長さと略同じとする。言い換えると、側面視で、第一連結軸線Ｃ１１及び第二連結軸線Ｃ１２を結ぶ線分の長さは、第三連結軸線Ｃ１３及び第四連結軸線Ｃ１４を結ぶ線分の長さと略同じとする。これにより、支持部材１５は、上下アーム２１，２２の上下揺動に対し略平行に上下する。尚、上下アーム２１，２２の上下揺動に対し支持部材１５が傾動するように上下アーム２１，２２を設置してもよい。
上アーム２１の後端部２１ｂ（第二連結軸線Ｃ１２）及び下アーム２２の後端部２２ｂ（第四連結軸線Ｃ１４）は、側面視でステアリング軸線Ｃ２と後述するストローク軸線Ｃ３との間に配置される。
【００６０】
＜上アーム＞
図５を併せて参照し、上アーム２１は、前後に延びる左右一対のアーム本体２１ｃと、左右アーム本体２１ｃの後端部２１ｂ間を連結するクロスメンバ２１ｄと、を一体に有する。上アーム２１の各要素は、例えばアルミ製部品であり、互いに一体形成される。
【００６１】
左右アーム本体２１ｃは、支持部材１５の上部の左右両側に配置される。左右アーム本体２１ｃは、支持部材１５の上部の外壁面に沿うように車幅方向内側へ湾曲する。
クロスメンバ２１ｄは、支持部材１５の上部の後方で車幅方向に延びる。クロスメンバ２１ｄの両端部は、左右アーム本体２１ｃの後端部２１ｂに接合される。
【００６２】
左右アーム本体２１ｃの前端部２１ａには、車幅方向に開口する挿通孔２３ｈが形成される。左右アーム本体２１ｃの前端部２１ａの間に支持部材１５の上接続部１５ｃを挟んだ状態で、挿通孔２３ｈ及び上接続部１５ｃの内周を通じて、ボルト２３ａをナット２３ｂに螺着し締め込む。ボルト２３ａの外周には、左右一対のニードルベアリング２３ｍを支持するための左右一対のサイドカラー２３ｊと、左右サイドカラー２３ｊの間の距離を確保するためのセンターカラー２３ｉと、右サイドカラー２３ｊとセンターカラー２３ｉとを介してスラストを受けるボールベアリング２３ｇと、が設けられる。支持部材１５の上接続部１５ｃは、左右サイドカラー２３ｊ、センターカラー２３ｉ及びボールベアリング２３ｇを介して、上アーム２１の前端部２１ａに第一連結軸線Ｃ１１の回りに回動可能に支持される。
【００６３】
左右フロントブロック３Ｌ，３Ｒの上接続部３ａには、車幅方向に開口する挿通孔２４ｈが形成される。左フロントブロック３Ｌの上接続部３ａには、左右隙を調整するためのアジャストカラー２４ｋが設けられる。左右フロントブロック３Ｌ，３Ｒの上接続部３ａの間に上アーム２１の後端部２１ｂ（左右アーム本体２１ｃの後端部２１ｂ及びクロスメンバ２１ｄ）を挟んだ状態で、挿通孔２４ｈ及び上アーム２１の後端部２１ｂの内周を通じて、ボルト２４ａをナット２４ｂに螺着し締め込む。ボルト２４ａの外周には、左右一対のニードルベアリング２４ｍを支持するための左右一対のサイドカラー２４ｊと、左右サイドカラー２４ｊの間の距離を確保するためのセンターカラー２４ｉと、右サイドカラー２４ｊとセンターカラー２４ｉとを介してスラストを受けるボールベアリング２４ｇと、が設けられる。上アーム２１の後端部２１ｂは、左右サイドカラー２４ｊ、センターカラー２４ｉ及びボールベアリング２４ｇを介して、左右フロントブロック３Ｌ，３Ｒの上接続部３ａに第二連結軸線Ｃ１２の回りに回動可能に支持される。
【００６４】
＜下アーム＞
図６を併せて参照し、下アーム２２は、前後に延びる左右一対のアーム本体２２ｃと、左右アーム本体２２ｃの前端部２２ａ間を連結する前クロスメンバ２２ｅと、左右アーム本体２２ｃの後端部２２ｂ間を連結する後クロスメンバ２２ｄと、を一体に有する。下アーム２２の各要素は、例えばアルミ製部品であり、互いに一体形成される。
【００６５】
左右アーム本体２２ｃは、クッション部材２７の下部の左右両側に配置される。左右アーム本体２２ｃは、クッション部材２７（後述するスプリング２７ｋ）の下部の外周面に沿うように車幅方向内側へ湾曲する。左右アーム本体２２ｃの内部には、車幅方向内側へ湾曲する空間２２ｓが形成される。
前クロスメンバ２２ｅは、クッション部材２７の下部の前方で車幅方向に延びる。前クロスメンバ２２ｅの両端部は、左右アーム本体２２ｃの前端部２２ａに接合される。
後クロスメンバ２２ｄは、クッション部材２７の下部の後方で車幅方向に延びる。後クロスメンバ２２ｄの両端部は、左右アーム本体２２ｃの後端部２２ｂに接合される。
【００６６】
支持部材１５の後部左右から後方に突出する左右の下接続部１５ｄには、車幅方向に開口する挿通孔２５ｈが形成される。左右の下接続部１５ｄの間に左右アーム本体２２ｃの前端部２２ａ（左右アーム本体２２ｃの前端部２２ａ及び前クロスメンバ２２ｅ）を挟んだ状態で、挿通孔２５ｈ及び左右アーム本体２２ｃの前端部２２ａの内周を通じて、ボルト２５ａをナット２５ｂに螺着し締め込む。ボルト２５ａの外周には、左右一対のニードルベアリング２５ｍを支持するための左右一対のサイドカラー２５ｊと、左右サイドカラー２５ｊの間の距離を確保するためのセンターカラー２５ｉと、右サイドカラー２５ｊとセンターカラー２５ｉとを介してスラストを受けるボールベアリング２５ｇと、が設けられる。支持部材１５の左右の下接続部１５ｄは、左右サイドカラー２５ｊ、センターカラー２５ｉ及びボールベアリング２５ｇを介して、下アーム２２の前端部２２ａに第三連結軸線Ｃ１３の回りに回動可能に支持される。
【００６７】
左右延出部３０Ｌ，３０Ｒの下接続部３ｂには、車幅方向に開口する挿通孔２６ｈが形成される。左延出部３０Ｌの下接続部３ｂには、左右隙を調整するためのアジャストカラー２６ｋが設けられる。左右延出部３０Ｌ，３０Ｒの下接続部３ｂの間に下アーム２２の後端部２２ｂ（左右アーム本体２２ｃの後端部２２ｂ及び後クロスメンバ２２ｄ）を挟んだ状態で、挿通孔２６ｈ及び下アーム２２の後端部２２ｂの内周を通じて、ボルト２６ａをナット２６ｂに螺着し締め込む。ボルト２６ａの外周には、左右一対のニードルベアリング２６ｍを支持するための左右一対のサイドカラー２６ｊと、左右サイドカラー２６ｊの間の距離を確保するためのセンターカラー２６ｉと、右サイドカラー２６ｊとセンターカラー２６ｉとを介してスラストを受けるボールベアリング２６ｇと、が設けられる。下アーム２２の後端部２２ｂは、左右サイドカラー２６ｊ、センターカラー２６ｉ及びボールベアリング２６ｇを介して、左右延出部３０Ｌ，３０Ｒの下接続部３ｂに第四連結軸線Ｃ１４の回りに回動可能に支持される。
【００６８】
下アーム２２において、前クロスメンバ２２ｅの車幅方向中央部後方かつ左右アーム本体２２ｃの前端部２２ａには、後上方に開放する凹部２２ｈが形成される。凹部２２ｈには、クッション部材２７の下端部２７ｂが収容される。又、左右アーム本体２２ｃの前端部２２ａにおいて凹部２２ｈに臨む部分には、クッション部材２７の下端部２７ｂが接続されるクッション下接続部２７ｄが形成される。
【００６９】
＜クッション部材＞
図１を併せて参照し、クッション部材２７は、側面視で上側ほど後側に位置するように傾斜するロッド式のダンパー２７ｊと、ダンパー２７ｊの周囲を巻回するコイルスプリング２７ｋと、を有する。クッション部材２７は、その中心軸線Ｃ３に沿ってストロークして伸縮し、所定の緩衝作用を得る。以下、中心軸線Ｃ３を「ストローク軸線」という。側面視で、ストローク軸線Ｃ３が鉛直方向に対して後傾するように、クッション上接続部２７ｃは、操舵軸線Ｃ１よりも後方に配置される。
【００７０】
クッション部材２７は、下アーム２２の揺動に伴い下端部２７ｂをストロークさせて緩衝作用を得る。クッション部材２７は、側面視でエンジンの前上方かつ前輪１１の後上方に配置される。クッション部材２７の上部は、フロントブロック３における前記門形の下部開放部３ｓ内に収容される。クッション部材２７の上端部２７ａは、側面視でフロントブロック３に覆われる。クッション部材２７の上端部２７ａは、左右延出部３３Ｌ，３３Ｒのクッション上接続部２７ｃ（図５参照）に揺動可能に接続され、クッション部材２７の下端部２７ｂは、下アーム２２のクッション下接続部２７ｄ（図６参照）に揺動可能に接続される。
【００７１】
図５を参照し、クッション部材２７の上端部２７ａは、左右延出部３３Ｌ，３３Ｒのクッション上接続部２７ｃに車幅方向に沿う連結軸としてのボルト３４ａを介して揺動可能に接続される。ボルト３４ａは、クッション上接続部２７ｃ及びクッション部材２７の上端部２７ａを貫通して車幅方向に延びる。図中符号Ｃ１５は、クッション上接続部２７ｃ及びクッション部材２７の上端部２７ａを連結するボルト３４ａの中心軸線を示す。
【００７２】
左右延出部３３Ｌ，３３Ｒのクッション上接続部２７ｃには、車幅方向に開口する挿通孔３４ｈが形成される。左右延出部３３Ｌ，３３Ｒのクッション上接続部２７ｃの間にクッション部材２７の上端部２７ａを挟んだ状態で、挿通孔３４ｈ及びクッション部材２７の上端部２７ａの内周を通じて、ボルト３４ａを挿通し、その突出部にナット３４ｂを螺着し締め込む。ボルト３４ａの外周には、ニードルベアリング３４ｍを支持するためのカラー３４ｊが設けられる。クッション部材２７の上端部２７ａは、カラー３４ｊを介して、左右延出部３３Ｌ，３３Ｒのクッション上接続部２７ｃに中心軸線Ｃ１５の回りに回動可能に支持される。
【００７３】
図６を参照し、クッション部材２７の下端部２７ｂは、下アーム２２の左右のクッション下接続部２７ｄに車幅方向に沿う連結軸としてのボルト２８ａを介して揺動可能に接続される。ボルト２８ａは、クッション下接続部２７ｄ及びクッション部材２７の下端部２７ｂを貫通して車幅方向に延びる。図中符号Ｃ１６は、クッション下接続部２７ｄ及びクッション部材２７の下端部２７ｂを連結するボルト２８ａの中心軸線を示す。
【００７４】
下アーム２２の左右のクッション下接続部２７ｄには、車幅方向に開口する挿通孔２８ｈが形成される。下アーム２２の左右のクッション下接続部２７ｄの間にクッション部材の下端部２７ｂを挟んだ状態で、挿通孔２８ｈ及びクッション部材２７の下端部２７ｂの内周を通じて、ボルト２８ａを挿通し、その突出部にナット２８ｂを螺着し締め込む。ボルト２８ａの外周には、ニードルベアリング２８ｍを支持するためのカラー２８ｊが設けられる。クッション部材２７の下端部２７ｂは、カラー２８ｊを介して、下アーム２２の左右のクッション下接続部２７ｄに中心軸線Ｃ１６の回りに回動可能に支持される。
【００７５】
以下、クッション部材２７の作用について説明する。
前輪懸架装置１に車重分の荷重が加わった１Ｇ状態から、前輪制動等により前輪１１が相対的に上方へ変位すると、支持アーム２０が上方へ揺動して、フロントフォーク１７及び支持部材１５が上方へ変位する。このとき、第四連結軸線Ｃ１４を中心に下アーム２２が図１中右回り（時計回り）に後転する。すると、下アーム２２が、クッション部材２７の下端部２７ｂを上方へ変位させてクッション部材２７を圧縮させる。
【００７６】
支持部材１５が上方へ変位すると、これに応じて転舵部材４５も一体的に変位する。このとき、リンク部材４０がハンドルポスト３５に対して変位し、且つ、ステアリング軸線Ｃ２の操舵軸線Ｃ１に対する角度が変化するが、この変化は前後ボールジョイント４１，４２の揺動及びリンク部材４０の揺動により吸収される。
【００７７】
一方、前記１Ｇ状態から、加速等により前輪１１が相対的に下方へ変位すると、支持アーム２０が下方へ揺動して、フロントフォーク１７及び支持部材１５が下方へ変位する。このとき、第四連結軸線Ｃ１４を中心に下アーム２２が図１中左回り（反時計回り）に前転する。すると、下アーム２２が、クッション部材２７の下端部２７ｂを下方へ変位させてクッション部材２７を伸長させる。
【００７８】
支持部材１５が下方へ変位すると、これに応じて転舵部材４５も一体的に変位する。このとき、リンク部材４０がハンドルポスト３５に対して変位し、且つ、ステアリング軸線Ｃ２の操舵軸線Ｃ１に対する角度が変化するが、この変化は前後ボールジョイント４１，４２の揺動及びリンク部材４０の揺動により吸収される。
【００７９】
以上説明したように、上記実施形態は、車両前後方向に延びるメインフレーム２と、車両前後方向に延びて前輪１１を上下揺動可能に支持する上下アーム２１，２２と、を備える自動二輪車の前輪支持フレーム構造において、メインフレーム２の後側から車両下方を前方に延びて車両前側で上方へ向かうロアフレーム６を更に備え、メインフレーム２の前上部には、上アーム２１の後端部２１ｂが揺動可能に接続される上接続部３ａが形成され、メインフレーム２の前下部には、下方に延出する延出部３０が形成され、延出部３０には、下アーム２２の後端部２２ｂが揺動可能に接続される下接続部３ｂが形成されると共に、ロアフレーム６の前上部６ａが接続される。
この構成によれば、メインフレーム２の前下部には下方に延出する延出部３０が形成され、延出部３０にはメインフレーム２の後側から車両下方を前方に延びて車両前側で上方へ向かうロアフレーム６の前上部６ａが接続されることで、メインフレーム２のオーバーハングとなる前記延出部３０をロアフレーム６によって補強できるため、フレームの剛性を向上できる。又、延出部３０には下アーム２２の後端部２２ｂが揺動可能に接続される下接続部３ｂが形成されることで、前記延出部３０を形成しない場合と比較して、上下アーム２１，２２の上下間隔を大きくできるため、上下アーム２１，２２の負荷を低減できる。又、車体フレームの構成要素となるロアフレーム６によって前記延出部３０を補強することで、別個に補強部材を設ける場合と比較して、軽量化を図ることができる。
【００８０】
又、上記実施形態では、ロアフレーム６の前上部６ａが延出部３０の前部３０ｆに結合されることで、延出部３０の前部３０ｆをロアフレーム６によって補強できるため、下アーム２２の揺動による車両前方からの負荷を効果的に低減しつつ、下接続部３ｂの剛性を更に向上できる。
【００８１】
又、上記実施形態では、延出部３０の前部３０ｆにはロアフレーム６の前上部６ａが結合される結合部３０ｃが形成され、結合部３０ｃにはロアフレーム６の前上部６ａが車両前側から締結するボルト３０ｊ（締結具）により結合されることで、延出部３０の前面にロアフレーム６の前上部６ａの後面を密着させて車両前側からボルト３０ｊを締結できるため、延出部３０の前部３０ｆ及びロアフレーム６の前上部６ａの締結強度を向上できる。又、車両後側から締結する締結具を設ける場合と比較して、延出部３０の前部３０ｆにロアフレーム６の前上部６ａを締結しやすい。
【００８２】
又、上記実施形態では、ボルト３０ｊが前面視で上下方向及び左右方向にオフセットして複数設けられることで、ボルト３０ｊの配置間隔を上下方向及び左右方向で確保できるため、ボルト３０ｊを上下又は左右の一方向でオフセットする場合と比較して、延出部３０の前面とロアフレーム６の前上部６ａの後面とが密着する面を大きくすることができ、延出部３０の前部３０ｆ及びロアフレーム６の前上部６ａの締結強度を向上できる。
【００８３】
又、上記実施形態では、延出部３０が前面視で上側ほど車幅方向中央に位置するように傾斜することで、メインフレーム２に向かう方向で延出部３０の急な曲がりを抑えることができるため、フレームの剛性変化に伴う応力集中を防止できる。
【００８４】
又、上記実施形態では、ロアフレーム６の後端部６ｂがメインフレーム２のピボット部５に対して分離可能とされ、ロアフレーム６の後端部６ｂとピボット部５との結合部５ｄが側面視でステップ支持部材５１によって覆われることで、側面視でロアフレーム６の後端部６ｂとピボット部５との結合部５ｄが見えにくくなるため、外観性を向上できる。
【００８５】
又、上記実施形態では、ステップ支持部材５１がロアフレーム６の後端部６ｂ及びメインフレーム２のピボット部５の両方に固定されることで、ロアフレーム６の後端部６ｂとピボット部５との結合強度を向上できる。
【００８６】
又、上記実施形態では、延出部３０にはエンジンが支持される下支持部３ｃが形成されることで、メインフレーム２のオーバーハングとなる前記延出部３０をロアフレーム６に加えてエンジンによって補強できるため、フレームの剛性をより一層向上できる。
【００８７】
尚、上記実施形態では、ステアリング軸線Ｃ２が側面視で操舵軸線Ｃ１よりも前方に離反する例を挙げて説明したが、これに限らない。例えば、ステアリング軸線Ｃ２が側面視で操舵軸線Ｃ１よりも後方に離反してもよい。すなわち、ステアリング軸線Ｃ２と操舵軸線Ｃ１とが側面視で前後にオフセットしていればよい。又、ステアリング軸線Ｃ２と操舵軸線Ｃ１とが側面視で一致してもよい。
【００８８】
又、上記実施形態では、ステアリング軸線Ｃ２と操舵軸線Ｃ１とが互いに平行である例を挙げて説明したが、これに限らない。例えば、ステアリング軸線Ｃ２と操舵軸線Ｃ１とが互いに交差してもよい。
【００８９】
又、上記実施形態では、上アーム２１の第一直線ＡＸ１と下アーム２２の第二直線ＡＸ２とが互いに略平行である例を挙げて説明したが、これに限らない。
例えば、上アーム２１の第一直線ＡＸ１と下アーム２２の第二直線ＡＸ２とが、前側ほど大きく離間するように、後方への延長部分で互いに交差していてもよい。このような交差配置にするには、例えば、側面視で、第二連結軸線Ｃ１２の上下位置を下方にずらしたり、第四連結軸線Ｃ１４の上下位置を上方にずらしたりするとよい。
【００９０】
又、上アーム２１の第一直線ＡＸ１と下アーム２２の第二直線ＡＸ２とが、後側ほど大きく離間するように、前方への延長部分で互いに交差していてもよい。このような交差配置にするには、例えば、側面視で、第二連結軸線Ｃ１２の上下位置を上方にずらしたり、第四連結軸線Ｃ１４の上下位置を下方にずらしたりするとよい。
【００９１】
又、上記実施形態では、第一軸線Ｃ４が、車両上下方向に延びる直線であり、第二軸線Ｃ５が、第一軸線Ｃ４に略平行、且つ、車両上下方向に延びる直線である例を挙げて説明したが、これに限らない。例えば、第一軸線Ｃ４が、車幅方向と交差する方向に沿う直線であり、第二直線Ｃ５が、車幅方向と交差する方向に沿い、且つ、第一軸線Ｃ４とは異なる方向に延びる直線であってもよい。
【００９２】
尚、本発明は上記実施形態に限られるものではなく、例えば、前記鞍乗り型車両には、運転者が車体を跨いで乗車する車両全般が含まれ、自動二輪車（原動機付自転車及びスクータ型車両を含む）のみならず、三輪（前一輪且つ後二輪の他に、前二輪且つ後一輪の車両も含む）の車両も含まれる。
そして、上記実施形態における構成は本発明の一例であり、実施形態の構成要素を周知の構成要素に置き換える等、本発明の要旨を逸脱しない範囲で種々の変更が可能である。
【符号の説明】
【００９３】
２  メインフレーム
３ａ  上接続部
３ｃ  下支持部（支持部）
５ｄ  第一結合部（結合部）
６  ロアフレーム
６ａ  ロアフレームの前上部
６ｂ  ロアフレームの後端部（後部）
１１  前輪
２１  上アーム
２１ｂ  上アームの後端部
２２  下アーム
２２ｂ  下アームの後端部
３０  延出部
３ｂ  下接続部
３０ｃ  結合部
３０ｆ  延出部の前部
３０ｊ  ボルト（締結具）
５１  ステップ支持部材
【図１】
0006464478.tif 000002
【図２】
0006464478.tif 000003
【図３】
0006464478.tif 000004
【図４】
0006464478.tif 000005
【図５】
0006464478.tif 000006
【図６】
0006464478.tif 000007
【図７】
0006464478.tif 000008